(57)【要約】      （修正有）【課題】鉛バッテリーを家庭用、または、小規模事業所用の電気器具に使用する蓄電池として活用できるシステムであって、発電装置から蓄電池に蓄電した直流電力を交流電力に変換せず直流電力のまま活用することで電力ロスを削減できる直流システムの提供。【解決手段】太陽光パネル１から制御盤５で制御し、直流電源を電気器具６に提供し、太陽光パネル１から鉛バッテリー２に蓄電し、制御盤５で制御し、直流電源を電気器具６に提供し、鉛バッテリー２を搭載した車両３の走行時に鉛バッテリー２に蓄電し、制御盤５で制御し、直流電源を電気器具６に提供し、オルタネーター４を駆動して鉛バッテリー２に蓄電し、制御盤５で制御し、直流電源を電気器具６に提供し、４種類の蓄電方法で、蓄電池に蓄電した直流電力を交流電力に変換せず直流電力のまま電気器具に使えるように構成した。【選択図】図１
2013110948.tif 000002
【特許請求の範囲】
【請求項１】
太陽光パネル（１）から制御盤（５）で制御し、直流電源を電気器具（６）に提供し、
太陽光パネル（１）から鉛バッテリー（２）に蓄電し、制御盤（５）で制御し、直流電源を電気器具（６）に提供し、
鉛バッテリー（２）を搭載した車両（３）の走行時に鉛バッテリー（２）に蓄電し、制御盤（５）で制御し、直流電源を電気器具（６）に提供し、
オルタネーター（４）を駆動して鉛バッテリー（２）に蓄電し、制御盤（５）で制御し、直流電源を電気器具（６）に提供し、
４種類の蓄電方法で、蓄電池に蓄電した直流電力を交流電力に変換せず直流電力のまま電気器具に使えるように構成し、発電装置から蓄電送電ができる直流システム。
【発明の詳細な説明】
【技術分野】
【０００１】  本発明の発電装置から蓄電送電ができる直流システムは、家庭用、または、小規模事業所用に簡易に蓄電する方法を提供し、鉛バッテリーを家庭、または、小規模事業所で使用する電気器具に蓄電池として活用できるシステムを提供する。
発電装置から蓄電池に蓄電した直流電力を交流電力に変換せず直流電力のまま活用することで電力のロスを削減できる発電電源からの電力を蓄電し送電する直流システムに関するものである。
通常は、太陽光パネル、鉛バッテリーを電気器具に使用するが、太陽光パネル、鉛バッテリーの電圧が下がったとき、交流直流切替ユニットが判断し、ＡＣ（交流）−ＤＣ（直流）コンバーター使って電力会社から送電する。
ＡＣ（交流）１００Ｖの充電器を利用して電力会社から鉛バッテリーに充電する。
太陽光パネルの電圧は、チャージコントローラーを使って安定させる。
この制御する方法で、交流電力と直流電力と簡易に蓄電する方法を提供し、電源を安定して使えるように工夫した直流システムである。
【背景技術】
【０００２】  従来、太陽光パネル、または、蓄電池の直流電力を交流電力に変換し、さらに電気器具直前で、もう一度、直流電力に変換して使用していた。
【先行技術文献】
【特許文献】
【０００３】
【特許文献１】  特願２０１０−４１７８３号公報
【発明の概要】
【発明が解決しようとする課題】
【０００４】  そのため、次のような問題点があった。
（ア）家庭用、または、小規模事業所用の電気器具に使用する電源を簡易に蓄電する方法がなかった。
（イ）鉛バッテリーを家庭用、または、小規模事業所用の電気器具に使用する蓄電池とし    て活用されていなかった。
（ウ）発電装置から蓄電池に蓄電した直流電力を交流電力に変換し、さらに電気器具の直    前で直流電力に、もう一度、変換するため、電力のロスがあった。
本発明は以上の問題点を解決しようとするものである。
【課題を解決するための手段】
【０００５】  太陽光パネル（１）から制御盤（５）で制御し、直流電源を電気器具（６）に提供し、
太陽光パネル（１）から鉛バッテリー（２）に蓄電し、制御盤（５）で制御し、直流電源を電気器具（６）に提供し、
鉛バッテリー（２）を搭載した車両（３）の走行時に鉛バッテリー（２）に蓄電し、制御盤（５）で制御し、直流電源を電気器具（６）に提供し、
オルタネーター（４）を駆動して鉛バッテリー（２）に蓄電し、制御盤（５）で制御し、直流電源を電気器具（６）に提供し、
４種類の蓄電方法で、蓄電池に蓄電した直流電力を交流電力に変換せず直流電力のまま電気器具に使えるように構成し、発電装置から蓄電送電ができる直流システム。
【発明の効果】
【０００６】  本発明は、発電装置から家庭でも、小規模事業所でも、簡易に蓄電送電を直流電力のまま交流電力に変換せず電気器具に使うことができる。
したがって、直流電力と交流電力の変換時の電力のロスをなくすことができる。
特徴をまとめると、
鉛バッテリーへの４種類の蓄電する方法は、
（イ）深夜電力から、鉛バッテリーに蓄電することができる。
（ロ）太陽光パネルから、鉛バッテリーに蓄電することができる。
（ハ）車で走行しながら、鉛バッテリーに蓄電することができる。
（ニ）オルタネーターから、鉛バッテリーに蓄電することができる。
４種類の蓄電する方法で蓄電した鉛バッテリーの活用する方法は、
（イ）鉛バッテリーに蓄電した直流電力をそのまま電気器具に使うことができる。
（ロ）緊急災害時のライフライン用として非常用に使うことができる。
【図面の簡単な説明】
【０００７】
【図１】  本発明の使用状態を示した説明図である。
【図２】  本発明の使用状態を示した説明図である。
【発明を実施するための形態】
【０００８】  以下、本発明の実施の形態を説明する。
太陽光パネル（１）から制御盤（５）で制御し、直流電源を電気器具（６）に提供し、
太陽光パネル（１）から鉛バッテリー（２）に蓄電し、制御盤（５）で制御し、直流電源を電気器具（６）に提供し、
鉛バッテリー（２）を搭載した車両（３）の走行時に鉛バッテリー（２）に蓄電し、制御盤（５）で制御し、直流電源を電気器具（６）に提供し、
オルタネーター（４）を駆動して鉛バッテリー（２）に蓄電し、制御盤（５）で制御し、直流電源を電気器具（６）に提供し、
４種類の蓄電する方法で、蓄電池に蓄電した直流電力を交流電力に変換せず直流電力のまま電気器具に使えるように構成した発電装置から蓄電送電ができる直流システム。
本発明は以上のような構成である。
本発明の使い方を説明する。
太陽光パネル（１）から制御版（５）で制御し、直流電源を電気器具（６）に使用する。
太陽光パネル（１）から鉛バッテリー（２）に蓄電し、制御盤（５）で制御し、直流電源を電気器具（６）に使用する。
鉛バッテリー（２）を搭載した車両（３）の走行時に鉛バッテリー（２）に蓄電し、制御盤（５）で制御し、直流電源を電気器具（６）に使用する。
オルタネーター（５）を駆動して鉛バッテリー（２）に蓄電し、制御盤（５）で制御し、直流電源を電気器具（６）に使用する。
４種類の蓄電する方法で、蓄電池に蓄電した直流電力を交流電力に変換せず直流電力のまま電気器具に使えるように構成し、発電装置から蓄電送電ができる直流システム。
通常は、太陽光パネル（１）、鉛バッテリー（２）を電気器具に使用するが、太陽光パネル（１）、鉛バッテリー（２）の電圧が下がったとき、交流直流切替ユニット（９）が判断し、ＡＣ−ＤＣコンバーター（８）使って電力会社（１０）から送電する。
ＡＣ１００Ｖ充電器（７）を利用して電力会社（１０）から鉛バッテリー（２）に充電する。
太陽光パネル（１）の電圧は、チャージコントローラー（１１）を使って安定させる。
この制御する方法で、交流電力と直流電力と蓄電する方法を安定して使うことができる。
【符号の説明】
【０００９】  １  太陽光パネル
２  鉛バッテリー
３  車両
４  オルタネーター
５  制御盤
６  電気器具
７  ＡＣ１００Ｖ充電器
８  ＡＣ−ＤＣコンバーター
９  交流直流切替ユニット
１０  電力会社
１１  チャージコントローラー
【図１】
2013110948.tif 000003
【図２】
2013110948.tif 000004